(57)【要約】【課題】強入力妨害の少ないＦＭ放送受信が可能なテレビジョン受信機を提供する。【解決手段】ＶＩＦ検波器８から出力される映像ベースバンド信号のレベルによるＡＧＣ電圧と混合器３の出力レベルによるＡＧＣ電圧とを切り替えてＲＦ増幅器２を供給する切替スイッチ回路１５を設け、テレビジョン受信時には映像ベースバンド信号によるＡＧＣ電圧を使用し、ＦＭ放送受信時には混合器出力によるＡＧＣ電圧を使用することにより映像信号のないＦＭ放送受信時にもＲＦ増幅器にＡＧＣをかけることができ混合器で発生する相互変調妨害を小さくする。【選択図】        図１
2004282464.tif 000002
【特許請求の範囲】
【請求項１】
希望する高周波信号を選択して受信し、受信した高周波信号を増幅する高周波増幅器と
前記高周波増幅器の出力と局部発振信号とを混合することにより前記高周波信号を第１の中間周波信号に変換する混合器と、
前記混合器に前記局部発振信号を与える局部発振器と、
前記混合器の出力の周波数帯域を制限する第１および第２の帯域通過フィルタと、
前記第１の帯域通過フィルタの出力を増幅する第１の中間周波増幅器と、
前記第１の中間周波増幅器の出力をＡＭ検波する第１の検波器と、
前記第１の検波器の出力レベルを検出し前記第１の中間周波増幅器の利得を制御する第１のＡＧＣ検出回路と、
前記第２の帯域通過フィルタの出力を第２の中間周波周波数に変換する周波数変換器と、
前記周波数変換器の出力の周波数帯域を制限する第３の帯域通過フィルタと、
前記第３の帯域通過フィルタの出力を増幅しかつ振幅制限する第２の中間周波増幅器と、
前記第２の中間周波増幅器の出力をＦＭ検波する第２の検波器と、
前記第１のＡＧＣ検出回路の制御信号を受けて動作する高周波ＡＧＣ制御回路と、
前記混合器の出力レベルを検出する第２のＡＧＣ検出回路と、
前記高周波増幅器の利得を制御するために、前記高周波ＡＧＣ制御回路と第２のＡＧＣ検出回路の出力を切り替えて前記高周波増幅器の利得制御入力端子へ供給する切替スイッチ回路とを備えたテレビジョン受信機。
【請求項２】
混合器の出力端子と第１および第２の帯域通過フィルタの入力端子との間にバッファアンプを設け、第２のＡＧＣ検出回路は前記バッファアンプの出力レベルを検出することを特徴とする請求項１記載のテレビジョン受信機。
【請求項３】
切替スイッチ回路は、第２のＡＧＣ検出回路の出力を選択するときに高周波ＡＧＣ制御回路の出力を停止させ、前記高周波ＡＧＣ制御回路の出力を選択するときに前記第２のＡＧＣ検出回路の出力を停止させるように構成していることを特徴とする請求項１記載のテレビジョン受信機。
【請求項４】
切替スイッチ回路は、第２のＡＧＣ検出回路の出力を選択するときに第１の中間周波増幅器の動作を停止させるように構成していることを特徴とする請求項１記載のテレビジョン受信機。
【請求項５】
第１の検波器が擬似同期検波器であることを特徴とする請求項１記載のテレビジョン受信機。
【請求項６】
第２の検波器がクワドラチャ検波器であることを特徴とする請求項１記載のテレビジョン受信機。
【発明の詳細な説明】
【０００１】
【発明の属する技術分野】
本発明は、半導体集積回路に内蔵され、特に車載用等、移動体受信に最適でＦＭラジオ放送（以下、単にＦＭ放送と記す）の受信も可能なテレビジョン受信機に関するものである。
【０００２】
【従来の技術】
近年、車載用テレビジョン受信機が増加してきており、セットの合理化が進むなかで、テレビジョンの受信系を利用してＦＭ放送受信可能なテレビジョンセットが登場してきている。（たとえば特許文献１参照）。
【０００３】
一般のテレビジョン受信機のチューナ部分でＦＭ放送を受信することは、テレビジョン放送の音声部分がＦＭ変調波であるため可能ではあるが、ＦＭ放送においてはチャンネル間隔が狭いこと等の理由によって、専用のＦＭ受信機に比べて特性的に劣ることが多い。
【０００４】
また、移動体の受信機の場合には受信条件が厳しくなる。すなわち、放送局から遠い地点での弱電界、放送局直下の強電界、移動する際のフェージング・マルチパス等が生じることが多いので、従来のテレビジョンチューナのダイナミックレンジ、妨害特性では不充分になる。
【０００５】
また、車載用では、走行中、安全面から運転席でテレビの映像を見ることができないため、テレビジョン受信機を利用してＦＭ多重放送による道路交通情報の入手を行うことがある。そのため、車載用に適したＦＭ放送受信可能なテレビジョン受信機の要望が強くなってきている。
【０００６】
以下、従来のテレビジョン受信機について、図１０にしたがって説明する。
【０００７】
この従来のテレビジョン受信機は、図１０に示すように、アンテナ１と、高周波増幅器（以下、ＲＦ増幅器と記す）２と、混合器３と、局部発振器４と、中間周波バッファアンプ（以下、ＩＦバッファと記す）５と、第１および第２の帯域通過フィルタである表面弾性波フィルタ（以下、ＳＡＷフィルタと記す）６，９と、第１の中間周波増幅器である映像中間周波増幅器（以下、ＶＩＦ増幅器と記す）７と、ＡＭ検波を行う第１の検波器である映像中間周波検波器（以下、ＶＩＦ検波器と記す）８と、第１のＡＧＣ検出回路１４と、高周波ＡＧＣ制御回路１６と、周波数変換器１０と、第３の帯域通過フィルタであるＢＰＦ１１と、第２の中間周波増幅器であるリミッタ１２と、ＦＭ検波を行う第２の検波器である音声中間周波検波器（以下、ＳＩＦ検波器と記す）１３とで構成される。
【０００８】
以上のように構成された従来のテレビジョン受信機の動作を説明する。図１０において、アンテナ１で受信された高周波信号は、ＲＦ増幅器２で増幅・ゲインコントロールされ、混合器３で局部発振器４からの局部発振信号と混合されて第１の中間周波信号に変換される。
【０００９】
第１の中間周波信号の周波数は、たとえば日本国内では映像信号については５８．７５ＭＨｚ、音声信号については５４．２５ＭＨｚであり、ＩＦバッファ５を通ってＳＡＷフィルタ６，９へ入力される。ここで、ＳＡＷフィルタ６は映像帯域を通過帯域に持ち、ＳＡＷフィルタ９は音声帯域を通過帯域に持つ。
【００１０】
つぎに、ＳＡＷフィルタ６を通過した第１の中間周波信号は、ＶＩＦ増幅器７で増幅・ゲインコントロールされてＶＩＦ検波器８へ入力されてＡＭ検波される。このＶＩＦ検波器８の出力である映像ベースバンド信号は次段の映像信号処理部へ入力される。この映像信号処理部は図面では省略してある。
【００１１】
また、ＡＧＣ検出回路１４では、映像ベースバンド信号のレベルを検出してＶＩＦ増幅器７のゲインを制御し、映像信号出力を一定レベルに保つように制御動作をする。
【００１２】
また、ＡＧＣ検出回路１４のＡＧＣ電圧出力は、高周波ＡＧＣ制御回路１６で動作タイミングをＶＩＦ増幅器７への利得制御から遅らせてＲＦ増幅器２の利得制御入力端子へ入力され、ＲＦ増幅器２のゲインを制御する。
【００１３】
図１１はＡＧＣ検出回路１４、高周波ＡＧＣ制御回路１６の動作の一例を示す特性図である。図１１において、記号ｎはＡＧＣ検出回路１４の出力電圧を示している。高周波入力レベルが所望のレベル、具体的には図１１において記号ｓで示すレベルを超えると、高周波入力レベルの増加に伴い降下し、ＶＩＦ増幅器７の利得が制御される。
【００１４】
さらに、高周波入力レベルが記号ｓで示すレベルよりも高い、記号ｑで示すレベルを超えると、高周波ＡＧＣ制御回路１６が動作し、図１１において記号ｐで示す出力電圧によってＲＦ増幅器２の利得が制御される。この高周波ＡＧＣ制御回路１６の動作電圧、すなわち、図１１で記号ｑで示すレベルは、ＡＧＣ検出回路１４の出力（図１１に記号ｎで示す）をある電圧Ｖ１と比較することにより決まる。
【００１５】
記号ｑで示されるレベルは、記号ｓで示されるレベルよりも高く（遅らせて）設定される。これは、前段のＲＦ増幅器２のゲインが弱入力で低下するとＶＩＦ検波器８およびＳＩＦ検波器１３の出力Ｓ／Ｎが悪化するという現象があり、それを避けるためである。つまり、高周波入力レベルの増加に伴い、ＶＩＦ増幅器７、ＲＦ増幅器２の順にＡＧＣが動作するようにするためである。
【００１６】
つぎに、ＩＦバッファ５から出力される第１の中間周波信号は、第２のＳＡＷフィルタ９へ入力され、周波数変換器１０で周波数変換されることにより第２の中間周波信号としてＢＰＦ１１へ入力される。ここで、第２の中間周波信号の周波数としては、たとえば日本国内では４．５ＭＨｚあるいは１０．７ＭＨｚ等の周波数が選ばれる。ＢＰＦ１１の出力は、リミッタ１２で増幅および振幅制限され、ＳＩＦ検波器１３でＦＭ検波されて音声信号として出力される。
【００１７】
つぎに、従来のテレビジョン受信機でＦＭ放送を受信する場合は、受信周波数帯域はテレビジョン高周波信号の周波数に近いＶＨＦ帯にあるため、テレビジョン受信機と同じシステムで受信できる。
【００１８】
図１０において、ＦＭ放送信号を受信する場合には、アンテナ１で受信したＦＭ信号は、ＲＦ増幅器２で増幅・ゲインコントロールされ、混合器３で局部発振器４からの局部発振信号と混合されて第３の中間周波信号に変換される。第３の中間周波信号の周波数を５４．２５ＭＨｚに選べば、ＳＡＷフィルタ９以下の音声信号復調系が利用できる。
【００１９】
この第３の中間周波信号は、混合器３を出てＩＦバッファ５を通ってＳＡＷフィルタ９へ入力され、周波数変換器１０で周波数変換され、第４の中間周波信号としてＢＰＦ１１へ入力される。
【００２０】
ここで、第４の中間周波信号の周波数として、日本国内では４．５ＭＨｚあるいは１０．７ＭＨｚ等の周波数を選ぶことによって、ＢＰＦ１１の出力はリミッタ１２で増幅および振幅制限され、ＳＩＦ検波器１３でＦＭ検波されて音声信号として出力される。
【００２１】
この場合には、映像信号がないため、ＶＩＦ増幅器７およびＶＩＦ検波器８は動作せず、ＡＧＣ検出回路１４も動作しない。したがって、ＡＧＣ検出動作は行われず、ＲＦ増幅器２のゲインコントロールが行われないことになる。しかし、ＦＭ変調波ではＡＧＣ機能が動作しなくても、基本的には周波数変調信号はなくならないため、ＳＡＷフィルタ９、周波数変換器１０、ＢＰＦ１１、リミッタ１２、ＳＩＦ検波器１３は動作し、従来のテレビジョン受信機でＦＭ放送受信が可能となる。
【００２２】
【特許文献１】
特開２００２−４４５６０号公報
【００２３】
【発明が解決しようとする課題】
しかしながら、図１０のように構成される従来のテレビジョン受信機でＦＭ放送を受信する場合、車載向け等の移動体受信では受信機が放送局近くの強電界地域に入ることがある。その場合において、妨害受信局が強電界のときに相互変調妨害ＩＭ（ＩｎｔｅｒＭｏｄｕｌａｔｉｏｎ）を生じ、希望受信局が受信できないという問題がある。
【００２４】
この相互変調妨害は、図９において、記号ｉで示す希望受信局周波数ｆｄから周波数Δｆだけ離れた周波数（ｆｄ＋Δｆ）に、記号ｊで示す周波数ｆｕｄ１の第１妨害局があり、さらに希望受信局周波数ｆｄから周波数２Δｆだけ離れた周波数（ｆｄ＋２Δｆ）に、記号ｋで示す周波数ｆｕｄ２の第２妨害局がある場合において、周波数ｆｕｄ１およびｆｕｄ２ともに電界強度が強い場合に、周波数ｆｄに妨害信号が現れる現象である。
【００２５】
この相互変調妨害の発生は、特に混合器３の非線形性によるところが大きい。すなわち、混合器３のダイナミックレンジを超えた入力が混合器３に入ると、キャリア信号に奇数次ひずみが発生し、相互変調妨害が生じることが知られている。これを防ぐには、混合器３への入力レベルを入力ダイナミックレンジ以下とすることが必要であるが、従来のテレビジョン受信機のＡＧＣ検出回路１４では高周波ＡＧＣ制御回路１６による高周波ＡＧＣが動作せず、混合器３への入力レベルが入力ダイナミックレンジを超えることによって相互変調妨害が発生する。
【００２６】
テレビジョン放送でも原理的に相互変調妨害の発生は同じであるが、放送局の周波数の間隔がＦＭ放送はテレビジョン放送に比べて狭いため、より妨害を受けやすくなっている。
【００２７】
本発明は上記従来の問題を解決するもので、移動体用で強入力妨害信号が存在する場合において、安定したＦＭ放送受信が可能なテレビジョン受信機を提供することを目的とする。
【００２８】
【課題を解決するための手段】
請求項１記載の発明のテレビジョン受信機は、希望する高周波信号を選択して受信し、受信した高周波信号を増幅する高周波増幅器と、高周波増幅器の出力と局部発振信号とを混合することにより前記高周波信号を第１の中間周波信号に変換する混合器と、前記混合器に局部発振信号を与える局部発振器と、混合器の出力の周波数帯域を制限する第１および第２の帯域通過フィルタと、第１の帯域通過フィルタの出力を増幅する第１の中間周波増幅器と、第１の中間周波増幅器の出力をＡＭ検波する第１の検波器と、第１の検波器の出力レベルを検出し第１の中間周波増幅器の利得を制御する第１のＡＧＣ検出回路と、第２の帯域通過フィルタの出力を第２の中間周波周波数に変換する周波数変換器と、周波数変換器の出力の周波数帯域を制限する第３の帯域通過フィルタと、第３の帯域通過フィルタの出力を増幅しかつ振幅制限する第２の中間周波増幅器と、第２の中間周波増幅器の出力をＦＭ検波する第２の検波器と、第１のＡＧＣ検出回路の制御信号を受けて動作する高周波ＡＧＣ制御回路と、混合器の出力レベルを検出する第２のＡＧＣ検出回路と、高周波増幅器の利得を制御するために、高周波ＡＧＣ制御回路と第２のＡＧＣ検出回路の出力を切り替えて高周波増幅器の利得制御入力端子へ供給する切替スイッチ回路とを備えている。
【００２９】
この構成によれば、ＦＭ放送受信をする場合には混合器の出力レベルを検出し高周波増幅器のＡＧＣを動作させることによって混合器での歪の発生を防ぎ、相互変調妨害を押さえることができ、移動体での安定したＦＭ受信が可能である。
【００３０】
請求項２記載の発明のテレビジョン受信機は、請求項１記載のテレビジョン受信機において、混合器の出力端子と第１および第２の帯域通過フィルタの入力端子との間にバッファアンプを設け、第２のＡＧＣ検出回路はバッファアンプの出力レベルを検出するようにしている。
【００３１】
この構成によれば、ＦＭ放送受信をする場合にはバッファアンプの出力レベルを検出し高周波増幅器のＡＧＣ動作を行わせることによって混合器での歪の発生を防ぎ、相互変調妨害を押さえることができ、移動体での安定したＦＭ放送受信が可能である。
【００３２】
請求項３記載の発明のテレビジョン受信機は、請求項１記載のテレビジョン受信機において、切替スイッチ回路は、第２のＡＧＣ検出回路の出力を選択するときに高周波ＡＧＣ制御回路の出力を停止させ、高周波ＡＧＣ制御回路の出力を選択するときに第２のＡＧＣ検出回路の出力を停止させるように構成している。
【００３３】
この構成によれば、切替スイッチ回路の働きで、テレビジョン受信時には映像ベースバンド信号出力による高周波ＡＧＣにより高周波増幅器にＡＧＣがかかり、ＦＭ受信時には混合器出力による高周波ＡＧＣがかけられるので、ＦＭ放送受信時に混合器の入力レベルが押さえられ相互変調妨害の少ないＦＭ受信が可能である。
【００３４】
請求項４記載の発明のテレビジョン受信機は、請求項１記載のテレビジョン受信機において、切替スイッチ回路は、第２のＡＧＣ検出回路の出力を選択するときに第１の中間周波増幅器の動作を停止させるように構成している。
【００３５】
この構成によれば、ＦＭ受信時にＶＩＦ増幅器の動作を止めるため、第１の中間周波増幅器で発生するノイズが押さえられ、ＦＭベースバンド信号出力のＳＮ比が悪化することがないＦＭ放送受信が可能である。
【００３６】
請求項５記載の発明のテレビジョン受信機は、請求項１記載のテレビジョン受信機において、第１の検波器が擬似同期検波器である。
【００３７】
この構成によれば、擬似同期検波器を第１の検波器に使用することによって、移動体受信におけるフェージング、マルチパス等の電界変動に対して映像ノイズの少ないテレビジョン受信機を構成することができる。
【００３８】
請求項６記載の発明のテレビジョン受信機は、請求項１記載のテレビジョン受信機において、第２の検波器がクワドラチャ検波器である。
【００３９】
この構成によれば、クワドラチャ検波器を第２の検波器に使用することによって、移動体受信におけるフェージング、マルチパス等の電界変動に対して音声ノイズの少ないテレビジョン受信機を構成することができる。
【００４０】
【発明の実施の形態】
（第１の実施の形態：請求項１に対応）
以下、本発明の第１の実施の形態におけるテレビジョン受信機について図１を用いて説明する。
【００４１】
図１は本発明の第１の実施の形態におけるテレビジョン受信機の構成を示すブロック図であり、従来例と同一部分は同一符号を用いている。
【００４２】
この実施の形態のテレビジョン受信機は、図１に示すように、アンテナ１と、高周波増幅器（以下、ＲＦ増幅器と記す）２と、混合器３と、局部発振器４と、中間周波バッファアンプ（以下、ＩＦバッファと記す）５と、第１および第２の帯域通過フィルタである表面弾性波フィルタ（以下、ＳＡＷフィルタと記す）６，９と、第１の中間周波増幅器である映像中間周波増幅器（以下、ＶＩＦ増幅器と記す）７と、ＡＭ検波を行う第１の検波器である映像中間周波検波器（以下、ＶＩＦ検波器と記す）８と、第１のＡＧＣ検出回路１４と、高周波ＡＧＣ制御回路１６と、周波数変換器１０と、第３の帯域通過フィルタであるＢＰＦ１１と、第２の中間周波増幅器であるリミッタ１２と、ＦＭ検波を行う第２の検波器である音声中間周波検波器（以下、ＳＩＦ検波器と記す）１３と、第２のＡＧＣ検出回路１７と、切替スイッチ回路１５とで構成される。
【００４３】
以上のように構成された本発明の第１の実施の形態のテレビジョン受信機の動作を説明する。図１において、テレビジョン信号を受信する場合には、アンテナ１で受信したテレビジョン信号は、ＲＦ増幅器２で増幅・ゲインコントロールされ、混合器３で局部発振器４からの局部発振信号と混合されて第１の中間周波信号に変換される。
【００４４】
第１の中間周波信号の周波数は、たとえば日本国内では映像信号については５８．７５ＭＨｚ、音声信号については５４．２５ＭＨｚであり、ＩＦバッファ５を通ってＳＡＷフィルタ６，９へ入力される。ここで、ＳＡＷフィルタ６は映像帯域を通過帯域に持ち、ＳＡＷフィルタ９は音声帯域を通過帯域に持つ。
【００４５】
つぎに、ＳＡＷフィルタ６を通過した第１の中間周波信号は、ＶＩＦ増幅器７で増幅・ゲインコントロールされてＶＩＦ検波器８へ入力される。このＶＩＦ検波器８の出力である映像ベースバンド信号は次段の映像信号処理部へ入力される。
【００４６】
また、ＡＧＣ検出回路１４では、映像ベースバンド信号のレベルを検出してＶＩＦ増幅器７のゲインを制御し、映像信号出力を一定レベルに保つように制御動作をする。
【００４７】
また、ＡＧＣ検出回路１４のＡＧＣ電圧出力は、高周波ＡＧＣ制御回路１６で動作タイミングをＶＩＦ増幅器７への利得制御から遅らせて切替スイッチ回路１５へ入る。切替スイッチ回路１５をテレビ受信時にはｂ側に切り替えておくことで、高周波ＡＧＣ制御回路１６の出力がＲＦ増幅器２の利得制御端子へ入力され、ＲＦ増幅器２のゲインを制御することができる。
【００４８】
つぎに、ＩＦバッファ５から出力される第１の中間周波信号は、ＳＡＷフィルタ９へ入力され、周波数変換器１０で周波数変換されることにより第２の中間周波信号としてＢＰＦ１１へ入力される。ここで、第２の中間周波信号の周波数としては、たとえば日本国内では４．５ＭＨｚあるいは１０．７ＭＨｚ等の周波数が選ばれる。ＢＰＦ１１の出力は、リミッタ１２で増幅および振幅制限され、ＳＩＦ検波器１３でＦＭ検波されて音声信号として出力される。
【００４９】
つぎに、図１のテレビジョン受信機でＦＭ放送を受信する場合について説明する。
【００５０】
図１において、ＦＭ放送信号を受信する場合には、アンテナ１で受信したＦＭ信号は、ＲＦ増幅器２で増幅・ゲインコントロールされ、混合器３で局部発振器４からの局部発振信号と混合されて第３の中間周波信号に変換される。第３の中間周波信号の周波数を５４．２５ＭＨｚに選べば、ＳＡＷフィルタ９以下の音声信号復調系が利用できる。
【００５１】
この第３の中間周波信号は、混合器３を出てＩＦバッファ５を通ってＳＡＷフィルタ９へ入力され、周波数変換器１０で周波数変換され、第４の中間周波信号としてＢＰＦ１１へ入力される。
【００５２】
ここで、第４の中間周波信号の周波数として、日本国内では４．５ＭＨｚあるいは１０．７ＭＨｚ等の周波数を選ぶことによって、ＢＰＦ１１の出力はリミッタ１２で増幅および振幅制限され、ＳＩＦ検波器１３でＦＭ検波されて音声信号として出力される。
【００５３】
一方、映像信号はこの場合存在しないため、ＶＩＦ増幅器７へは信号が入力されず、ＡＧＣ検出回路１４は動作しないので、高周波ＡＧＣ制御回路１６からはＡＧＣ信号が出力されない。しかし、第２のＡＧＣ検出回路１７は、混合器３の出力レベルを検出し、切替スイッチ回路１５をａ側に切り替えておくことによって、ＲＦ増幅器２の利得を制御し、ＡＧＣ動作を実行させることができる。ここで第２のＡＧＣ検出回路１７については基本構成は第１のＡＧＣ検出回路１４と同じであるが、後段に比べて低いレベルの中間周波数帯の信号レベルを検出するため第１のＡＧＣ検出回路１４に比べ周波数特性をあげ、検出ゲインを高く設定されている。
【００５４】
この場合、混合器３の出力周波数帯域（中間周波信号の周波数帯域）は、図９に記号ｌで示す従来のＴＶ受信機のＳＡＷフィルタで決まるＡＧＣ検出帯域（ＳＡＷフィルタ通過後の中間周波信号の帯域）に比べて、図９に記号ｍで示すように、妨害局の周波数が入るほど十分に広いため、妨害信号（図９の記号ｊおよびｋで示す）に対してもＡＧＣ動作が可能となり、混合器３の入力レベルを下げて入力ダイナミックレンジ以下にすることができ、相互変調妨害を生じないようにできる。
【００５５】
以上のように構成されたテレビジョン受信機において、ＦＭ放送を受信する場合には、混合器３の出力レベルを検出し、ＲＦ増幅器２のＡＧＣ動作を行わせることによって、混合器３での歪の発生を防ぎ、相互変調妨害を押さえることができ、移動体での安定したＦＭ放送受信が可能となる。
【００５６】
（第２の実施の形態：請求項２に対応）
以下、本発明の第２の実施の形態におけるテレビジョン受信機について図２を用いて説明する。
【００５７】
図２は本発明の第２の実施の形態におけるテレビジョン受信機の構成を示すブロック図であり、従来例と同一部分は同一符号を用いている。図２において、第２のＡＧＣ検出回路１７は、ＩＦバッファ５の出力電圧を検出してＲＦ増幅器２の利得を制御する。通常、ＩＦバッファ５は１０〜２０ｄＢのゲインをもっており、これによって混合器３の出力レベルよりも高い電圧を検出することができ、より検出効率を上げることができる。
【００５８】
以上のように構成されたテレビジョン受信機において、ＦＭ放送を受信する場合には、混合器３の出力レベルを検出してＲＦ増幅器２のＡＧＣ動作を行わせることによって、混合器３での歪の発生を防ぎ、相互変調妨害を押さえることができ、移動体での安定したＦＭ放送受信が可能となる。
【００５９】
（第３の実施の形態：請求項３に対応）
つぎに、図３は本発明の第３の実施の形態のテレビジョン受信機における、切替スイッチ回路１５、高周波ＡＧＣ制御回路１６およびＡＧＣ検出回路１７の具体的な構成を示すブロック図である。それ以外の構成については、図１に示されたテレビジョン受信機の構成と同様である。なお、図３の構成は第２の実施の形態の構成に対して適用することも可能である。
【００６０】
図３において、１６は高周波ＡＧＣ制御回路、１７は第２のＡＧＣ検出回路を表している。１４は図１と同じ第１のＡＧＣ検出回路である。また、１８および２２は比較器、２０は増幅器、２１はピーク検波器、１９，２３，２４および２５はそれぞれＮＰＮトランジスタ、２６は中間周波信号入力端子、３２は負荷抵抗、３１は基準電圧端子、３０は接地端子、２７はＡＧＣ制御電圧出力端子、２８および２９はスイッチ制御入力端子である。
【００６１】
つぎに、図３の切替スイッチ回路１５、高周波ＡＧＣ制御回路１６およびＡＧＣ検出回路１７について、動作を説明する。
【００６２】
ＡＧＣ検出回路１４の出力は図１１に記号ｎに示すような出力になっており、比較器１８で一定電圧と比較され、比較結果に応じて出力用のＮＰＮトランジスタ１９をオンオフさせる。すなわち、図１１に記号Ｖ１に示すように所望の高周波入力レベル（図１１に記号ｑで示す）でＲＦＡＧＣがオンするように設定される。ＮＰＮトランジスタ１９がオンすると、負荷抵抗３２に電流が流れ、ＡＧＣ制御電圧出力端子２７にＡＧＣ信号が出力される。
【００６３】
一方、混合器３の出力の第１の中間周波信号は、中間周波信号入力端子２６から入力され、増幅器２０で増幅され、ピーク検波器２１でピークレベルを検出し、比較器２２で一定電圧と比較され、ＮＰＮトランジスタ２３をオンさせる。この一定電圧は所望の高周波入力レベルでＡＧＣがオンするように設定される。ＮＰＮトランジスタ２３がオンすると、負荷抵抗３２に電流が流れ、ＡＧＣ制御電圧２７にＡＧＣ信号が出力される。
【００６４】
なお、ＡＧＣがオンするといのうは、その入力レベル以上でゲインを落とす動作を開始するという意味である。
【００６５】
つぎに、図３において、テレビジョン受信時には、スイッチ制御入力端子２９の電圧をハイレベルとし、スイッチ制御入力端子２８の電圧をローレベルとし、ＮＰＮトランジスタ２５をオンさせ、これによってＮＰＮトランジスタ２３をオフさせる。その結果、ＡＧＣ電圧出力は高周波ＡＧＣ制御回路１６から出力される。また、ＦＭ放送受信時には、スイッチ制御入力端子２８の電圧をハイレベルとし、スイッチ制御入力端子２９の電圧をローレベルとし、ＮＰＮトランジスタ２４をオンさせてＮＰＮトランジスタ１９をオフさせる。その結果、ＡＧＣ検出回路１７からの出力がＡＧＣ制御電圧出力端子２７へ出力される。
【００６６】
以上のように、図３のスイッチ回路によれば、テレビジョ受信時には従来からの高周波ＡＧＣ制御回路１６によりＡＧＣ動作を行わせ、ＦＭ放送受信時には混合器３の出力のレベルを検出してＡＧＣ動作を行わせることができ、混合器３の入力レベルを下げることが可能である。その結果、強いＦＭ妨害信号がある場合でも相互変調妨害の少ないＦＭ放送受信可能なテレビジョン受信機を構成できる。
【００６７】
（第４の実施の形態：請求項４に対応）
つぎに、本発明の第４の実施の形態のテレビジョン受信機について説明する。このテレビジョン受信機は、図１において、ＦＭ放送受信時にＶＩＦ増幅器７の動作を止めるようにしたものである。ＦＭ放送受信時は、映像信号が存在しないため、ＶＩＦ増幅器７には、ＳＡＷフィルタ６を通してＲＦ増幅器２、混合器３、ＩＦバッファ５から出力されるノイズが入力される。このノイズは、ＶＩＦ増幅器７で増幅され、ＶＩＦ検波器８へ入力される。このとき、ＶＩＦ検波器８からは映像ベースバンド信号出力がないため、ＡＧＣ検出回路１４からのＡＧＣ電圧が出力されず、ＶＩＦ増幅器７は最大利得で動作する。よって、ＶＩＦ増幅器７の出力ノイズは数百ｍＶｐｐ〜千数百ｍＶｐｐになる。このノイズは、寄生素子等によって、音声復調系に影響を与え、音声ベースバンド信号出力のＳＮ比を悪化させる。このため、ＦＭ放送受信時にはＶＩＦ増幅器７の動作を止めるか利得を大幅に下げることによって音声ベースバンド信号のＳＮ比の悪化を防ぐことができる。
【００６８】
なお、図３の構成は第２の実施の形態の構成に対して適用することも可能である。
【００６９】
以上のように、本発明の第４の実施の形態のテレビジョン受信機によれば、ＦＭ放送受信時にＶＩＦ増幅器７の動作を止めるので、ＶＩＦ増幅器７の利得を下げてＦＭ受信時に音声ベースバンド信号のＳＮ比がＶＩＦ増幅器７のノイズによって悪化することがないＦＭ放送受信可能なテレビジョン受信機を構成できる。
【００７０】
（第５の実施の形態：請求項５に対応）
つぎに、図４は本発明の第５の実施の形態のテレビジョン受信機におけるＶＩＦ検波回路８の具体構成を示すブロック図である。その他の構成は図１のテレビジョン受信機と同様である。
【００７１】
この実施の形態では、ＶＩＦ検波回路８が擬似同期検波回路で構成されている。図４において、３３は第１の中間周波信号（ＶＩＦ信号）入力端子、３５はＶＩＦ信号に同調する同調回路、３６は掛算器である。３７はＬＰＦでＶＩＦ信号を遮断し、映像ベースバンド信号を通過させる。３４は映像検波出力の出力端子である。図４において、第１の中間周波信号入力端子３３から入力されたＶＩＦ信号は、掛算器３６で同調回路３５を通ったＶＩＦ信号と掛算される。同調回路３５はＩＦ周波数に同調させ、所望のＩＦ帯域外のノイズが検波出力として出力されないよう設定される。そして、掛算器３６の出力信号がＬＰＦ３７に入力されることにより、ＬＰＦ３７を通して映像ベースバンド信号が出力される。
【００７２】
なお、同調回路３５の出力は同調回路３５の入力信号と同位相であり、これを“０°”で示している。
【００７３】
一方、通常の映像検波回路には、静特性のよいＰＬＬ同期検波回路が採用される。このＰＬＬ同期検波回路について説明する。
【００７４】
図６はＰＬＬ同期検波回路のブロック図で、図４と同じ機能のものには同じ番号をつけている。図６において、３８は位相検波器（ＡＰＣ）、３９は電圧制御発振器（ＶＣＯ）、４０はループフィルタである。通常、電圧制御発振器３９の出力は０°／９０°移相器を通して出力されるが、この図では省略している。図６で“０°”および“９０°”は入力信号と同位相、入力信号に対して位相が９０°ずれていることを示している。図５、図７においても同様である。
【００７５】
図６において、第１の中間周波信号入力端子３３から入力されたＶＩＦ信号は、位相検波器３８に入り、電圧制御発振器３９の９０°移相出力４３と位相比較され、ループフィルタ４０を通して電圧制御発振器３９に帰還され、電圧制御発振器３９の９０°移相出力４３と第１の中間周波信号入力端子３３に入力されるＶＩＦ信号の位相が９０°ずれるようにロックされ、ＰＬＬ回路として動作する。
【００７６】
つぎに、電圧制御発振器３９からはＶＩＦ信号と同位相の同相出力４２が出力され、掛算器３６でＶＩＦ信号と同相出力４２とが掛算されてＬＰＦ３７を通ることにより、出力端子３４から映像ベースバンド信号が出力される。
【００７７】
このＰＬＬ同期検波器を使用した場合には、車載用等の移動体受信では、以下のような不都合が生じる。図８の（１）は横軸が時間、縦軸が受信電界を示しているが、受信機が移動する際、フェージング、マルチパス等で受信電界が図８の（１）のｃ，ｄ，ｅのように時間によって落ち込むようになる。この電界中で図６のＰＬＬ同期検波器を使用した場合には、このＰＬＬ同期検波器が入力信号に対して位相ロックが動作するようになっているため、図８の（１）のｃ，ｄ，ｅでは入力信号がなくなりＰＬＬがロックしなくなるロックはずれが生じ、映像ベースバンド信号は図８の（２）のｇのように、電界の落ち込んだときに大きなノイズが出力される。車載用の場合、運転席では走行中は映像が見られないが、後部座席では試聴できるため対策が必要となる。図８の（２）のｆはベースバンド信号を示している。
【００７８】
一方、図４の擬似同期検波器によれば、ＰＬＬのようなロックはずれはなく、図８の（３）のｈのように、映像ベースバンド信号は電界落ち込み時に出力が低下するようになり、ノイズを低減できる。
【００７９】
以上のように構成された擬似同期検波器を使用することにより、移動体受信におけるフェージング、マルチパス等により電界の落ち込みが発生する場合でもノイズの発生の少ないテレビジョン受信機を構成できる。
【００８０】
（第６の実施の形態：請求項６に対応）
つぎに、図５は本発明の第６の実施の形態のテレビジョン受信機におけるＳＩＦ検波回路１３の具体構成を示すブロック図である。その他の構成は図１のテレビジョン受信機と同様である。
【００８１】
この実施の形態では、ＳＩＦ検波回路１３がクワドラチャＦＭ検波器で構成されている。図５において、４７は第２の中間周波信号（ＳＩＦ信号）入力端子、４１はＳＩＦ信号を第２の中間周波信号入力端子４７の入力信号に対して９０°位相をシフトする移相器、４９は掛算器である。５０はＬＰＦで、ＳＩＦ信号を遮断し、音声ベースバンド信号を通過させる。４８は音声検波出力（音声ベースバンド出力）の出力端子である。
【００８２】
図５において、第２の中間周波信号入力端子４７から入力されたＳＩＦ信号は、掛算器４９で９０°移相器４１を通ったＳＩＦ信号と掛算される。そして、掛算器４９の出力信号がＬＰＦ５０に入力されることにより、ＬＰＦ５０を通して音声ベースバンド信号が出力される。
【００８３】
一方、通常の音声検波回路には、静特性のよいＰＬＬＦＭ検波回路が採用される。このＰＬＬＦＭ検波回路について説明する。
【００８４】
図７はＰＬＬＦＭ検波回路のブロック図で、図５と同じ機能のものには同じ番号をつけている。図７において、５１は位相検波器（ＰＤ）、５３は電圧制御発振器（ＶＣＯ）、５２はループフィルタである。
【００８５】
図７において、第２の中間周波信号入力端子４７から入力されたＳＩＦ信号は、位相検波器５１に入り、電圧制御発振器５３の９０°移相出力４６と位相比較され、ループフィルタ５２を通して電圧制御発振器５３に帰還され、電圧制御発振器５３の９０°移相出力４３と第２の中間周波信号入力端子４７に入力されるＳＩＦ信号の位相が９０°ずれてロックするＰＬＬ回路として動作する。
【００８６】
つぎに、電圧制御発振器５３からはＳＩＦ信号に対して９０°位相のずれた９０°移相出力４５が出力され、ＳＩＦ信号と９０°移相出力４５とが掛算器４９で掛算されてＬＰＦ５０を通ることにより、出力端子４８から音声ベースバンド信号が出力される。
【００８７】
このＰＬＬＦＭ検波器を使用した場合には、車載用等の移動体受信では、映像側と同様に電界の落ち込み時にＰＬＬのロックはずれを生じ、大きなノイズとして出力される。この場合、映像とは異なり、車載用の場合に走行中にも音声受信をしているため音声ノイズの影響は特に大きい。
【００８８】
一方、図５のクワドラチャＦＭ検波器によれば、ＰＬＬのようなロックはずれはなく、音声ベースバンド信号は電界落ち込み時に出力が低下するようになり、音声ノイズが押さえられて聞きやすい音声出力となる。
【００８９】
以上のように構成されたクワドラチャＦＭ検波器を使用することにより、移動体受信におけるフェージング、マルチパス等によリ電界の落ち込みが発生する場合でもノイズの発生の少ないテレビジョン受信機を構成できる。
【００９０】
【発明の効果】
本発明の請求項１記載のテレビジョン受信機によれば、ＦＭ放送受信をする場合には混合器の出力レベルを検出し高周波増幅器のＡＧＣを動作させることによって混合器での歪の発生を防ぎ、相互変調妨害を押さえることができ、移動体での安定したＦＭ受信が可能である。
【００９１】
また、本発明の請求項２記載のテレビジョン受信機によれば、ＦＭ放送受信をする場合にはバッファアンプの出力レベルを検出し高周波増幅器のＡＧＣ動作を行わせることによって混合器での歪の発生を防ぎ、相互変調妨害を押さえることができ、移動体での安定したＦＭ放送受信が可能である。
【００９２】
また、本発明の請求項３記載のテレビジョン受信機によれば、切替スイッチ回路の働きで、テレビジョン受信時には映像ベースバンド信号出力による高周波ＡＧＣにより高周波増幅器にＡＧＣがかかり、ＦＭ受信時には混合器出力による高周波ＡＧＣがかけられるので、ＦＭ放送受信時に混合器の入力レベルが押さえられ相互変調妨害の少ないＦＭ受信が可能である。
【００９３】
また、本発明の請求項４記載のテレビジョン受信機によれば、ＦＭ受信時に第１の中間周波増幅器の動作を止めるため、第１の中間周波増幅器で発生するノイズが押さえられ、ＦＭベースバンド信号出力のＳＮ比が悪化することがないＦＭ放送受信が可能である。
【００９４】
また、本発明の請求項５記載のテレビジョン受信機によれば、擬似同期検波器を第１の検波器に使用することによって、移動体受信におけるフェージング、マルチパス等の電界変動に対して映像ノイズの少ないテレビジョン受信機を構成することができる。
【００９５】
また、本発明の請求項６記載のテレビジョン受信機によれば、クワドラチャ検波器を第２の検波器に使用することによって、移動体受信におけるフェージング、マルチパス等の電界変動に対して音声ノイズの少ないテレビジョン受信機を構成することができる。
【図面の簡単な説明】
【図１】本発明の第１の実施の形態におけるテレビジョン受信機の構成を示すブロック図である。
【図２】本発明の第２の実施の形態におけるテレビジョン受信機の構成を示すブロック図である。
【図３】本発明の第３の実施の形態におけるテレビジョン受信機に使用される切替スイッチ回路の構成を示すブロック図である。
【図４】本発明の第４の実施の形態のテレビジョン受信機に適用される擬似同期検波器の構成を示すブロック図である。
【図５】従来のテレビジョン受信機に適用されるＰＬＬ同期検波器の構成を示すブロック図である。
【図６】本発明の第５の実施の形態のテレビジョン受信機に適用されるクワドラチャＦＭ検波器の構成を示すブロック図である。
【図７】従来のテレビジョン受信機に適用されるＰＬＬＦＭ検波器の構成を示すブロック図である。
【図８】（１）は移動体受信時の電界変動を示す波形図、（２）は移動体受信時のＰＬＬ同期検波器またはＰＬＬＦＭ検波器による出力ノイズを示す波形図、（３）は移動体受信時の擬似同期検波器またはクワドラチャＦＭ検波器による出力ノイズを示す波形図である。
【図９】妨害局受信時の相互変調妨害を示す模式図である。
【図１０】従来のテレビジョン受信機の構成を示すブロック図である。
【図１１】ＡＧＣ検出回路の動作を示す特性図である。
【符号の説明】
１    アンテナ
２    ＲＦ増幅器
３    混合器
４    局部発振器
５    ＩＦバッファ
６    ＳＡＷフィルタ
７    ＶＩＦ増幅器
８    ＶＩＦ検波器
９    ＳＡＷフィルタ
１０    周波数変換器
１１    ＢＰＦ
１２    中間周波増幅器
１３    ＳＩＦ検波器
１４    ＡＧＣ検出回路
１５    切替スイッチ回路
１６    高周波ＡＧＣ制御回路
１７    ＡＧＣ検出回路
１８，２２    比較器
１９，２３，２４，２５    ＮＰＮトランジスタ
２０    増幅器
２１    ピーク検波器
２６    ＡＧＣ検出回路の入力端子
２７    ＡＧＣ電圧出力端子
２８，２９    切替制御信号入力端子
３０    接地端子
３１    電源電圧端子
３２    負荷抵抗
３３    ＶＩＦ入力端子
３４    映像ベースバンド信号出力端子
３５    同調回路
３６，４９    掛算器
３７，５０    ＬＰＦ
３８，５１    位相検波器
３９，５３    ＶＣＯ（電圧制御発振器）
４０，５２    ループフィルタ
【図１】
2004282464.tif 000003
【図２】
2004282464.tif 000004
【図３】
2004282464.tif 000005
【図４】
2004282464.tif 000006
【図５】
2004282464.tif 000007
【図６】
2004282464.tif 000008
【図７】
2004282464.tif 000009
【図８】
2004282464.tif 000010
【図９】
2004282464.tif 000011
【図１０】
2004282464.tif 000012
【図１１】
2004282464.tif 000013